(57)【要約】【課題】所要の断熱性能を簡単に得ることができ、かつ見栄えのよい、配線・配管材の断熱壁貫通配設構造を提供する。【解決手段】配線・配管材の断熱壁貫通配設構造３は、断熱性能を有し通孔５ａが形成されたブロック状の断熱ブロック体５を備える。この断熱ブロック体５は、通孔５ａが開口する固定面５ｂを備え、その固定面５ｂが、断熱壁１における一方側の面１ｃと向かい合い、かつ、通孔５ａが、断熱壁１の貫通孔１ｂと連通するようにして、一方側の面１ｃに配置される。配線・配管材２は、貫通孔１ｂと通孔５ａを通るように配設される。通孔５ａには、その通孔５ａ内の配線・配管材２周りの空隙を塞ぐように、発泡性断熱材からなる充填材６が充填される。【選択図】  図１
2020024019.tif 000002
【特許請求の範囲】
【請求項１】
断熱材層を有する断熱壁に設けられた貫通孔を通るように配線・配管材が配設されてなる、配線・配管材の断熱壁貫通配設構造であって、
断熱性能を有し通孔が形成されたブロック状の断熱ブロック体を備え、
前記断熱ブロック体は、前記通孔が開口する固定面を備え、その固定面が、前記断熱壁における一方側の面と向かい合い、かつ、前記通孔が、前記貫通孔と連通するようにして、前記一方側の面に配置されており、
前記配線・配管材は、前記貫通孔に加えて前記通孔を通るように配設されており、
前記通孔には、その通孔内の前記配線・配管材周りの空隙を塞ぐように、発泡性断熱材からなる充填材が充填されている、配線・配管材の断熱壁貫通配設構造。
【請求項２】
前記断熱壁と前記断熱ブロック体とは、前記一方側の面と前記固定面との間で、前記貫通孔を切れ目なく取り囲む固定材により、気密に固定されている、請求項１に記載の配線・配管材の断熱壁貫通配設構造。
【請求項３】
前記貫通孔内を通る前記配線・配管材が前記貫通孔の両開口縁と接触するのを防止する接触防止手段を備える、請求項１または２に記載の配線・配管材の断熱壁貫通配設構造。
【請求項４】
前記接触防止手段は、両端が開口し前記配線・配管材が通る筒体からなり、その一端側が前記通孔内に配置されて前記断熱ブロック体に固定され、他端側が前記貫通孔に挿入されてその他端側の先端が前記断熱壁における他方側の面から突出している、請求項３に記載の配線・配管材の断熱壁貫通配設構造。
【請求項５】
前記配線・配管材は、ケーブルからなり、
前記貫通孔には、その貫通孔内面と、その貫通孔内を通る前記ケーブルとの接触を防止する、区画壁部が配置されている、請求項１ないし４のいずれか１項に記載の配線・配管材の断熱壁貫通配設構造。
【請求項６】
前記充填材は、接着性を有する、請求項１ないし５のいずれか１項に記載の配線・配管材の断熱壁貫通配設構造。
【請求項７】
前記配線・配管材は、ケーブルからなり、
前記ケーブルの外面における少なくとも前記充填材のある箇所に、その充填材と前記ケーブルとの接触を阻止する接触阻止部材が設けられる、請求項１ないし６のいずれか１項に記載の配線・配管材の断熱壁貫通配設構造。
【請求項８】
断熱材層を有して配線・配管材が通る貫通孔を備えた断熱壁の一方側の面に配置される、断熱性能を有するブロック状の断熱ブロック体であって、
前記貫通孔と連通して前記配線・配管材が通る通孔と、その通孔が開口し前記一方側の面と向かい合う固定面とを備え、
前記通孔は、その通孔内の前記配線・配管材周りの空隙を塞ぐように、発泡性断熱材からなる充填材が充填可能である、断熱ブロック体。
【請求項９】
前記断熱ブロック体は、半球状に形成され、その半球の平面部が、前記固定面となり、
前記通孔は、前記固定面の中心から前記半球の球面部側に向かってあけられ、
前記半球の球面部には、外方に突出する掴み部が設けられる、請求項８に記載の断熱ブロック体。
【請求項１０】
前記掴み部は、前記半球の球面部において前記通孔の周囲に突出して設けられる、請求項９に記載の断熱ブロック体。
【請求項１１】
請求項８ないし１０のいずれか１項に記載の断熱ブロック体と、前記貫通孔内を通る前記配線・配管材が前記貫通孔の両開口縁と接触するのを防止する接触防止体とからなる、断熱壁貫通部形成装置であって、
前記接触防止体は、前記断熱壁の貫通孔に挿入されて前記配線・配管材が通る挿入部と、その挿入部から延設されて前記断熱壁の一方側の面における前記貫通孔の開口縁に当接するフランジ部とを備え、
前記断熱ブロック体は、前記固定面に、前記フランジ部を配置する配置空間を有する、断熱壁貫通部形成装置。
【請求項１２】
請求項８ないし１０のいずれか１項に記載の断熱ブロック体と、前記貫通孔内を通る前記配線・配管材が前記貫通孔の両開口縁と接触するのを防止する接触防止体とからなる、断熱壁貫通部形成装置であって、
前記接触防止体は、両端が開口し前記配線・配管材が通る筒体からなり、その一端側に、前記断熱ブロック体の通孔に挿入されてその断熱ブロック体に固定される固定部が設けられ、他端側に、前記断熱壁の貫通孔に挿入される挿入部が設けられる、断熱壁貫通部形成装置。
【請求項１３】
前記接触防止体は、前記挿入部の先端部に、その挿入部の先端位置を変更する変更部を有する、請求項１１または１２に記載の断熱壁貫通部形成装置。
【請求項１４】
前記挿入部の先端部には、さや管を接続する接続具を連結可能な連結部が設けられている、請求項１１ないし１３のいずれか１項に記載の断熱壁貫通部形成装置。
【発明の詳細な説明】
【技術分野】
【０００１】
この発明は、所要の断熱性能を簡単に得ることができる、配線・配管材の断熱壁貫通配設構造、断熱ブロック体、および断熱壁貫通部形成装置に関するものである。
【背景技術】
【０００２】
従来、断熱壁によって形成される外箱を貫通するように、リード線を配設することがあった（例えば、特許文献１参照）。図１０に示すように、このリード線２１の配設にあたっては、外箱２２に貫通孔２２ａがあけられ、その貫通孔２２ａを通るようにリード線２１が配設された。そして、貫通孔２２ａは、断熱性パテ２３で埋められることでシールされた。
【先行技術文献】
【特許文献】
【０００３】
【特許文献１】特開平８−２２６７４８号公報
【発明の概要】
【発明が解決しようとする課題】
【０００４】
ところで、前記従来のリード線２１の配設にあっては、そのリード線２１が通る貫通孔２２ａは、断熱性パテ２３で埋められたが、貫通孔２２ａ部分における断熱性能を確保するために、その断熱性パテ２３を、貫通孔２２ａの開口部分にある程度盛る必要があった。しかし、その断熱性パテ２３の盛る量は、一定せず、多いと無駄になり、少ないと断熱性能が低下した。また、このパテ盛りは、熟練者の勘を必要とする作業でもあり、また、盛られたパテ２３は見栄えがよくなかった
【０００５】
この発明は、上記した従来の欠点を解決するためになされたものであり、その目的とするところは、所要の断熱性能を簡単に得ることができ、かつ見栄えのよい、配線・配管材の断熱壁貫通配設構造、断熱ブロック体、および断熱壁貫通部形成装置を提供することにある。
【課題を解決するための手段】
【０００６】
この発明に係る配線・配管材の断熱壁貫通配設構造、断熱ブロック体、および断熱壁貫通部形成装置は、前記目的を達成するために、次の構成からなる。すなわち、
請求項１に記載の発明に係る配線・配管材の断熱壁貫通配設構造は、断熱材層を有する断熱壁に設けられた貫通孔を通るように配線・配管材が配設されてなる、配線・配管材の断熱壁貫通配設構造であって、断熱性能を有し通孔が形成されたブロック状の断熱ブロック体を備える。この断熱ブロック体は、前記通孔が開口する固定面を備え、その固定面が、前記断熱壁における一方側の面と向かい合い、かつ、前記通孔が、前記貫通孔と連通するようにして、前記一方側の面に配置されている。前記配線・配管材は、前記貫通孔に加えて前記通孔を通るように配設されている。そして、前記通孔には、その通孔内の前記配線・配管材周りの空隙を塞ぐように、発泡性断熱材からなる充填材が充填されている。
【０００７】
この配線・配管材の断熱壁貫通配設構造によると、断熱壁の一方側の面に、断熱ブロック体が配置され、配線・配管材が、断熱壁の貫通孔と断熱ブロック体の通孔とを通るように配置される。そして、通孔には、発泡性断熱材からなる充填材が充填される。こうして、断熱壁の一方側の面において、貫通孔の開口周りが、発泡性断熱材からなる充填材が充填された断熱ブロック体で覆われ、貫通孔部分での断熱性能が得られる。
【０００８】
また、請求項２に記載の発明に係る配線・配管材の断熱壁貫通配設構造は、請求項１に記載の配線・配管材の断熱壁貫通配設構造において、前記断熱壁と前記断熱ブロック体とは、前記一方側の面と前記固定面との間で、前記貫通孔を切れ目なく取り囲む固定材により、気密に固定されている。
【０００９】
また、請求項３に記載の発明に係る配線・配管材の断熱壁貫通配設構造は、請求項１または２に記載の配線・配管材の断熱壁貫通配設構造において、前記貫通孔内を通る前記配線・配管材が前記貫通孔の両開口縁と接触するのを防止する接触防止手段を備える。接触防止手段を設けることで、配線・配管材が貫通孔の開口縁で擦れるのを防ぐことができる。
【００１０】
また、請求項４に記載の発明に係る配線・配管材の断熱壁貫通配設構造は、請求項３に記載の配線・配管材の断熱壁貫通配設構造において、前記接触防止手段は、両端が開口し前記配線・配管材が通る筒体からなり、その一端側が前記通孔内に配置されて前記断熱ブロック体に固定され、他端側が前記貫通孔に挿入されてその他端側の先端が前記断熱壁における他方側の面から突出している。
【００１１】
また、請求項５に記載の発明に係る配線・配管材の断熱壁貫通配設構造は、請求項１ないし４のいずれか１項に記載の配線・配管材の断熱壁貫通配設構造において、前記配線・配管材は、ケーブルからなり、前記貫通孔には、その貫通孔内面と、その貫通孔内を通る前記ケーブルとの接触を防止する、区画壁部が配置されている。区画壁部を設けることで、ケーブルの発熱（ジュール熱）で、断熱壁における断熱材層がやせるのを避けることができる。
【００１２】
また、請求項６に記載の発明に係る配線・配管材の断熱壁貫通配設構造は、請求項１ないし５のいずれか１項に記載の配線・配管材の断熱壁貫通配設構造において、前記充填材は、接着性を有する。通孔内の充填材が接着性を有することで、配線・配管材がその長手方向に移動するのが規制されて、配線・配管材の周りに間隙が発生するのが防止される。
【００１３】
また、請求項７に記載の発明に係る配線・配管材の断熱壁貫通配設構造は、請求項１ないし６のいずれか１項に記載の配線・配管材の断熱壁貫通配設構造において、前記配線・配管材は、ケーブルからなり、前記ケーブルの外面における少なくとも前記充填材のある箇所に、その充填材と前記ケーブルとの接触を阻止する接触阻止部材が設けられる。接触阻止部材によって、発泡性断熱材からなる充填材とケーブルとの接触を阻止することで、充填材によりケーブル表面部分の可塑剤が抜けてケーブルが硬化しクラックが入るのを防ぐことができる。
【００１４】
また、請求項８に記載の発明に係る断熱ブロック体は、断熱材層を有して配線・配管材が通る貫通孔を備えた断熱壁の一方側の面に配置される、断熱性能を有するブロック状の断熱ブロック体である。この段設ブロック体は、前記貫通孔と連通して前記配線・配管材が通る通孔と、その通孔が開口し前記一方側の面と向かい合う固定面とを備える。そして、前記通孔は、その通孔内の前記配線・配管材周りの空隙を塞ぐように、発泡性断熱材からなる充填材が充填可能である。
【００１５】
この断熱ブロック体によると、断熱壁の一方側の面に、この断熱ブロック体が配置され、配線・配管材が、断熱壁の貫通孔と断熱ブロック体の通孔とを通るように配置される。そして、通孔には、発泡性断熱材からなる充填材が充填される。こうして、断熱壁の一方側の面において、貫通孔の開口周りが、発泡性断熱材からなる充填材が充填された断熱ブロック体で覆われ、貫通孔部分での断熱性能が得られる。
【００１６】
また、請求項９に記載の発明に係る断熱ブロック体は、請求項８に記載の断熱ブロック体において、前記断熱ブロック体は、半球状に形成され、その半球の平面部が、前記固定面となる。前記通孔は、前記固定面の中心から前記半球の球面部側に向かってあけられる。そして、前記半球の球面部には、外方に突出する掴み部が設けられる。掴み部を設けることで、この掴み部を掴んで、断熱ブロック体を持つことができる。
【００１７】
また、請求項１０に記載の発明に係る断熱ブロック体は、請求項９に記載の断熱ブロック体において、前記掴み部は、前記半球の球面部において前記通孔の周囲に突出して設けられる。これにより、掴み部が、通孔の位置を示す指標となる。
【００１８】
また、請求項１１に記載の発明に係る断熱壁貫通部形成装置は、請求項８ないし１０のいずれか１項に記載の断熱ブロック体と、前記貫通孔内を通る前記配線・配管材が前記貫通孔の両開口縁と接触するのを防止する接触防止体とからなる。ここで、前記接触防止体は、前記断熱壁の貫通孔に挿入されて前記配線・配管材が通る挿入部と、その挿入部から延設されて前記断熱壁の一方側の面における前記貫通孔の開口縁に当接するフランジ部とを備える。そして、前記断熱ブロック体は、前記固定面に、前記フランジ部を配置する配置空間を有する。接触防止体を設けることで、配線・配管材が貫通孔の開口縁で擦れるのを防ぐことができる。
【００１９】
また、請求項１２に記載の発明に係る断熱壁貫通部形成装置は、請求項８ないし１０のいずれか１項に記載の断熱ブロック体と、前記貫通孔内を通る前記配線・配管材が前記貫通孔の両開口縁と接触するのを防止する接触防止体とからなる。ここで、前記接触防止体は、両端が開口し前記配線・配管材が通る筒体からなり、その一端側に、前記断熱ブロック体の通孔に挿入されてその断熱ブロック体に固定される固定部が設けられ、他端側に、前記断熱壁の貫通孔に挿入される挿入部が設けられる。接触防止体を設けることで、配線・配管材が貫通孔の開口縁で擦れるのを防ぐことができる。
【００２０】
また、請求項１３に記載の発明に係る断熱壁貫通部形成装置は、請求項１１または１２に記載の断熱壁貫通部形成装置において、前記接触防止体は、前記挿入部の先端部に、その挿入部の先端位置を変更する変更部を有する。この変更部により、断熱壁の厚さに対応して、挿入部の先端位置を変更することができる。
【００２１】
また、請求項１４に記載の発明に係る断熱壁貫通部形成装置は、請求項１１ないし１３のいずれか１項に記載の断熱壁貫通部形成装置において、前記挿入部の先端部には、さや管を接続する接続具を連結可能な連結部が設けられている。
【発明の効果】
【００２２】
この発明に係る配線・配管材の断熱壁貫通配設構造、断熱ブロック体、および断熱壁貫通部形成装置によれば、断熱ブロック体を用い、その断熱ブロック体の通孔に発泡性断熱材からなる充填材を充填することで、所要の断熱性能を簡単に得ることができ、かつ、断熱ブロック体を用いることで、見栄えがよい。
【図面の簡単な説明】
【００２３】
【図１】この発明の一実施の形態の、断熱壁貫通配設構造を示す縦断面図である。
【図２】同じく、断熱ブロック体の斜視図である。
【図３】同じく、断熱ブロック体の縦断面図である。
【図４】同じく、接触防止体の拡大正面図である。
【図５】同じく、接触防止体の拡大縦断面図である。
【図６】この発明の一実施の形態の変形例を示す縦断面図である。
【図７】この発明の他の実施の形態を示す縦断面図である。
【図８】この発明のさらに他の実施の形態を示す縦断面図である。
【図９】この発明のさらに他の実施の形態を示す縦断面図である。
【図１０】従来のリード線の配設構造を示す断面図である。
【発明を実施するための形態】
【００２４】
以下、この発明に係る配線・配管材の断熱壁貫通配設構造、断熱ブロック体、および断熱壁貫通部形成装置を実施するための形態を図面に基づいて説明する。
【００２５】
図１〜図５は、本発明の一実施の形態を示す。図中符号１は、断熱材層１ａを有する断熱壁を示す。２は、配線・配管材（配線材または配管材）を示す。３は、断熱壁１に設けられた貫通孔１ｂを通るように配線・配管材２が配設されてなる、配線・配管材の断熱壁貫通配設構造を示す。４は、断熱壁貫通部形成装置を示す。
【００２６】
この断熱壁貫通配設構造３は、断熱性能を有し通孔５ａが形成されたブロック状の断熱ブロック体５を備える。この断熱ブロック体５は、前記通孔５ａが開口する固定面５ｂを備える。そこで、断熱ブロック体５は、固定面５ｂが、断熱壁１における一方側（例えば、断熱壁１の外部側）の面１ｃと向かい合い、かつ、通孔５ａが、断熱壁１の貫通孔１ｂと連通するようにして、断熱壁１の一方側の面１ｃに配置されている。そして、配線・配管材２は、貫通孔１ｂに加えて断熱ブロック体５の通孔５ａを通るように配設されている。すなわち、断熱ブロック体５は、断熱壁１の一方側の面１ｃに配置されるブロック体であって、断熱壁１の貫通孔１ｂと連通して配線・配管材２が通る通孔５ａと、その通孔５ａが開口し断熱壁１の一方側の面１ｃと向かい合う固定面５ｂとを備える。
【００２７】
そして、この断熱壁貫通配設構造３においては、通孔５ａには、その通孔５ａ内の配線・配管材２周りの一部もしくは全部の空隙を塞ぐように、発泡性断熱材からなる充填材６が充填されている。すなわち、通孔５ａは、その通孔５ａ内の配線・配管材２周りの一部もしくは全部の空隙を塞ぐように、発泡性断熱材からなる充填材６が充填可能である。そこで、この充填材６は、接着性を有する。
【００２８】
また、この断熱壁貫通配設構造３においては、断熱壁１と断熱ブロック体５とは、断熱壁１の一方側の面１ｃと断熱ブロック体５の固定面５ｂとの間で、貫通孔１ｂを切れ目なく取り囲む固定材７により、気密に固定されている。この固定材７は、例えば、環状の両面テープからなって、貫通孔１ｂを取り囲むように貼り付けられたり、コーキング材からなって、貫通孔１ｂを取り囲むように環状に塗布されたりする。
【００２９】
また、断熱壁貫通配設構造３は、断熱壁１の貫通孔１ｂ内を通る配線・配管材２が貫通孔１ｂの両開口縁（断熱壁１の一方側の面１ｃにおける開口縁および他方側の面１ｄにおける開口縁）と接触するのを防止する接触防止手段８を備える。この接触防止手段８は、両端が開口し配線・配管材２が通る筒体からなり、その一端側が通孔５ａ内に配置されて断熱ブロック体５に固定され、他端側が貫通孔１ｂに挿入されてその他端側の先端が断熱壁１における他方側の面１ｄから突出している。
【００３０】
断熱壁貫通部形成装置４は、前記断熱ブロック体５と、前記接触防止手段８としての接触防止体８ａとからなる。すなわち、接触防止体８ａは、両端が開口し配線・配管材２が通る筒体からなり、その一端側に、断熱ブロック体５の通孔５ａに挿入されてその断熱ブロック体５に固定される固定部８ｂが設けられ、他端側に、断熱壁１の貫通孔１ｂに挿入される挿入部８ｃが設けられる。
【００３１】
具体的には、断熱壁１は、前記断熱材層１ａの両面に金属板（例えば、鋼鈑とかステンレス板）等の板材（図示せず）を配したサンドイッチ構造をしている。そして、断熱材層１ａは、例えば、発泡ポリスチレンからなる。この断熱壁１は、例えば、冷凍設備とか冷蔵設備とかの、縦壁や天井等を形成するものであって、垂直に配置されたり、水平に配置されたり、傾斜して配置されたりする。
【００３２】
断熱ブロック体５は、例えば、発泡スチロールからなる。この断熱ブロック体５は、半球状に形成され、その半球の平面部が、前記固定面５ｂとなる。そして、前記通孔５ａは、固定面５ｂの中心から前記半球の球面部５ｄ側に向かってあけられる（詳しくは、固定面５ｂの中心からその固定面５ｂと垂直となる方向にあけられている）。そして、断熱ブロック体５は、前記半球の球面部５ｄに、外方に突出する掴み部５ｅが設けられる。詳細には、この掴み部５ｅは、前記半球の球面部５ｄにおいて通孔５ａの周囲に突出して設けられる。
【００３３】
接触防止体８ａは、前述したように筒体からなるが、その一端側（つまり、固定部８ｂ）の外面に、前記断熱ブロック体５の通孔５ａ内面にねじ込まれる雄ネジ８ｄが設けられ、その雄ネジ８ｄによって、固定部８ｂは、断熱ブロック体５に固定される。また、接触防止体８ａは、前記挿入部８ｃの先端部に、その挿入部８ｃの先端位置を変更する変更部８ｅを有する。詳細には、接触防止体８ａは、接触防止体本体８０１と、前記変更部８ｅとしての調整筒体８０２とを備える。ここで、接触防止体本体８０１は、その先端に第１ネジ部８ｆを有し、調整筒体８０２は、その第１ネジ部８ｆに螺合する第２ネジ部８ｇを有する。そこで、第１ネジ部８ｆへの第２ネジ部８ｇの螺合する長さを変更することで、挿入部８ｃの先端位置が変更される。
【００３４】
配線・配管材２は、ケーブル２ａからなる。そこで、断熱壁貫通配設構造３においては、断熱壁１の貫通孔１ｂに、その貫通孔１ｂ内面と、その貫通孔１ｂ内を通る前記ケーブル２ａとの接触を防止する、区画壁部９が配置されている。図示実施の形態においては、断熱壁貫通配設構造３は、接触防止体８ａを備え、その接触防止体８ａにおける挿入部８ｃが、この区画壁部９となる。
【００３５】
また、充填材６となる発泡性断熱材は、例えば、発泡ウレタンからなり、通孔５ａに充填された充填材６は、接触防止体８ａとか区画壁部９で止められたり、その内部に進入して留まったりする。
【００３６】
以上の構成からなる配線・配管材の断熱壁貫通配設構造３、断熱ブロック体５、および、その断熱ブロック体５を備える断熱壁貫通部形成装置４によると、断熱壁１の一方側の面１ｃに、断熱ブロック体５が配置され、配線・配管材２が、断熱壁１の貫通孔１ｂと断熱ブロック体５の通孔５ａとを通るように配置される。そして、通孔５ａには、発泡性断熱材からなる充填材６が充填される。こうして、断熱壁１の一方側の面１ｃにおいて、貫通孔１ｂの開口周りが、発泡性断熱材からなる充填材６が充填された断熱ブロック体５で覆われ、貫通孔１ｂ部分での断熱性能が得られる。すなわち、断熱ブロック体５を用い、その断熱ブロック体５の通孔５ａに発泡性断熱材からなる充填材６を充填することで、所要の断熱性能を簡単に得ることができ、かつ、断熱ブロック体５を用いることで、見栄えがよい。
【００３７】
また、通孔５ａ内の充填材６が接着性を有することで、配線・配管材２がその長手方向に移動するのが規制されて、配線・配管材２のずれや振れが防止され、配線・配管材２の周りに間隙が発生するのが防止される。
【００３８】
また、断熱ブロック体５を半球状に形成することで、少ない材料で、所要の断熱性能を得ることができる。そして、断熱ブロック体５に、外方に突出する掴み部５ｅを設けることで、この掴み部５ｅを掴んで、断熱ブロック体５を持つことができる。また、この掴み部５ｅは、半球の球面部５ｄにおいて通孔５ａの周囲に突出して設けられることから、この掴み部５ｅが、通孔５ａの位置を示す指標となる。この際、この掴み部５ｅの上面を、充填材６の必要充填量を示す位置に設けるのがよい。これにより、充填材６が発泡した状態で、掴み部５ｅの上面に到達していない場合は、必要量が足りないことを示すため、充填材６を追加充填すればよい。そして、充填材６を掴み部５ｅの上面まで充填すれば、断熱に必要な量を充填できたことが分かる。また、充填材６が発泡するため、充填後の発泡により、充填材６が掴み部５ｅの上面を超えて盛り上がることはあるが、そのような場合でも、当然に断熱性能は確保されている。
【００３９】
また、配線・配管材の断熱壁貫通配設構造３とか断熱壁貫通部形成装置４においては、接触防止体８ａ（接触防止手段８）を設けることで、配線・配管材２が貫通孔１ｂの開口縁で擦れるのを防ぐことができる。そして、区画壁部９（図示実施の形態においては、挿入部８ｃ）を設けることで、配線材としてのケーブル２ａの発熱（ジュール熱）で、断熱壁１における断熱材層１ａがやせるのを避けることができる。
【００４０】
また、接触防止体８ａは、挿入部８ｃの先端部に、その挿入部８ｃの先端位置を変更する変更部８ｅを有しており、この変更部８ｅにより、断熱壁１の厚さに対応して、挿入部８ｃの先端位置を変更することができる。
【００４１】
なお、本発明は、上述した実施の形態に限定されるわけではなく、その他種々の変更が可能である。例えば、断熱ブロック体５は、一体に形成されなくても、通孔５ａを縦に分断する分割面で分割されていてもよく、これにより、断熱ブロック体５の後付け（つまり、配線・配管材２が配設された後に、断熱ブロック体５を配置すること）が容易となる。
【００４２】
また、接触防止体８ａは、挿入部８ｃの先端部に、先端位置を変更する変更部８ｅとしての調整筒体８０２を有するが、この調整筒体８０２は、接触防止体本体８０１と螺合により位置調整可能に組み付けられるものでなくても、多段的に係合する等他の方法により、位置調整可能に組み付けられてもよく、また、調整筒体８０２を着脱することで、挿入部８ｃの先端位置を変更したり、また、挿入部８ｃの先端部を適宜除去したり折り取ったりして、その先端位置を変更してもよい。また、この挿入部８ｃの先端位置の変更に関しては、接触防止体８ａの固定部８ｂの雄ネジ８ｄを利用して、断熱ブロック体５への雄ネジ８ｄのねじ込み量を変更して挿入部８ｃの先端位置を変更（つまり、断熱ブロック体５からの突出長を変更）してもよい。
【００４３】
また、配線・配管材２がケーブル２ａからなる場合には、図６に示すように、ケーブル２ａの外面における少なくとも充填材６のある箇所に、その充填材６とケーブル２ａとの接触を阻止する接触阻止部材１０が設けられるのが好ましい。ここで、接触阻止部材１０としては、例えば、ケーブル２ａの外面に巻き付けられるビニルテープ等のテープであったり、ケーブル２ａの外面を覆う袋であったりする。この接触阻止部材１０によると、この接触阻止部材１０によって、発泡性断熱材からなる充填材６とケーブル２ａとの接触を阻止することで、ケーブル２ａの最外層の可塑剤が抜けて硬化しクラックが入るのを防いだり、また、そのクラックによる絶縁性の低下を防ぐことができる。なお、この図６に示す例では、充填材６は、接触防止体８ａの内部まで進入している。
【００４４】
また、接触防止体８ａは、図７に示すように、断熱壁１の貫通孔１ｂに挿入されて配線・配管材２が通る挿入部８ｃと、その挿入部８ｃから延設されて断熱壁１の一方側の面１ｃにおける貫通孔１ｂの開口縁に当接するフランジ部８ｈとを備えてもよい。このとき、断熱ブロック体５は、固定面５ｂに、フランジ部８ｈを配置する配置空間５ｆを有する。詳細には、この配置空間５ｆは、固定面５ｂにおいて、通孔５ａに通じ、かつ、通孔５ａを囲むように、リング状に窪んで形成される。接触防止体８ａを設けることで、配線・配管材２が貫通孔１ｂの開口縁で擦れるのを防ぐことができ、また、断熱ブロック体５が、フランジ部８ｈの配置空間５ｆを有することで、そのフランジ部８ｈと断熱ブロック体５との干渉を避けることができる。また、この接触防止体８ａは、フランジ部８ｈとは反対側が貫通孔１ｂから突出する長さを有するが、図８に示すように、配線・配管材２を保護するためのさや管１１の先端側が、この接触防止体８ａを兼ねてもよい。すなわち、さや管１１の先端部には、複数の切込み１１ａ、１１ａが設けられ、その先端部が外側に折り曲げられて、前記フランジ部８ｈが形成されてもよい。
【００４５】
また、前記フランジ部８ｈ付きの接触防止体８ａにおいては、図示を省略するが、その向きを逆にして、フランジ部８ｈが、断熱壁１の他方側の面における貫通孔１ｂの開口縁に当接するようにして、挿入部８ｃが、貫通孔１ｂに挿入されてもよい。
【００４６】
また、図９に示すように、接触防止体８ａの挿入部８ｃの先端部には、配線・配管材２を保護するためのさや管１２を接続する接続具１３を連結可能な連結部８ｉが、設けられてもよい。図示実施の形態においては、連結部８ｉは、挿入部８ｃの先端部に設けられた雌ネジ８ｊからなり、接続具１３には、その雌ネジ８ｊにねじ込まれる雄ネジ１３ａが形成されている。また、接続具１３には、内方に突き出る係止突起１３ｂが設けられ、その係止突起１３ｂが、波付きさや管１２の外面を係止することで、そのさや管１２は、接続具１３、ひいては接触防止体８ａに接続される。
【００４７】
また、断熱ブロック体５は、発泡スチロールからなるものに限定されるわけではなく、同様に、充填剤６となる発泡性断熱材は、発泡ウレタンからなるものに限定されるわけではない。
【００４８】
また、接触防止手段８は、無くてもよい。
【符号の説明】
【００４９】
１  断熱壁
１ａ  断熱材層
１ｂ  貫通孔
１ｃ  一方側の面
１ｄ  他方側の面
２  配線・配管材
２ａ  ケーブル
３  断熱壁貫通配設構造
４  断熱壁貫通部形成装置
５  断熱ブロック体
５ａ  通孔
５ｂ  固定面
５ｄ  球面部
５ｅ  掴み部
５ｆ  配置空間
６  充填材
７  固定材
８  接触防止手段
８ａ  接触防止体
８ｂ  固定部
８ｃ  挿入部
８ｅ  変更部
８ｈ  フランジ部
８ｉ  連結部
９  区画壁部
１０  接触阻止部材
１２  さや管
１３  接続具
【図１】
2020024019.tif 000003
【図２】
2020024019.tif 000004
【図３】
2020024019.tif 000005
【図４】
2020024019.tif 000006
【図５】
2020024019.tif 000007
【図６】
2020024019.tif 000008
【図７】
2020024019.tif 000009
【図８】
2020024019.tif 000010
【図９】
2020024019.tif 000011
【図１０】
2020024019.tif 000012